(57)【要約】  【課題】見た目は通常のパンツと変わらず、ヒップアップ効果があり、着用快適性に優れたパンツを提供すること。  【解決手段】身頃表地の内側に、後身頃のヒップ部から脇線を通り前身頃の一部を被う裏地を少なくともウエストラインと内股で表地と縫着、付設したパンツとし、身頃表地や裏地は、タテまたは／およびヨコ方向に伸縮可能な織編物を使用する。【選択図】図４
2006299464.tif 000002
【特許請求の範囲】
【請求項１】
身頃表地の内側に、後身頃のヒップ部から脇線を通り前身頃の一部を被う裏地を付設したパンツであって、該裏地が少なくともウエストラインと内股で身頃表地に接合されていることを特徴とするパンツ。
【請求項２】
前記身頃表地が、タテまたは/およびヨコ方向に伸縮可能な織編物であることを特徴とする請求項１に記載のパンツ。
【請求項３】
前記身頃表地または／および前記裏地が、一方がポリトリメチレンテレフタレートを主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物であることを特徴とする請求項１または２に記載のパンツ。
【請求項４】
前記裏地が、タテまたは／およびヨコ方向に伸縮可能な織編物であることを特徴とする請求項１〜３のいずれかに記載のパンツ。
【請求項５】
前記裏地の、タテ方向およびヨコ方向の少なくとも一方の伸長率が１．５ｋｇ荷重下で３０〜２００％、繰り返し１０回伸長後の伸長回復率が８０％〜１００％であることを特徴とする請求項４に記載のパンツ。  
【請求項６】
前記裏地は、少なくとも１ヶ所以上後身頃で接ぎ合わされ、ヒップの丸みに合わせて立体縫製されていることを特徴とする請求項１〜５のいずれかに記載のパンツ。
【請求項７】
前記裏地に、後身頃のヒップライン下から前身頃に向かい斜め上方に傾斜した帯状のヒップアップ別布を付設したことを特徴とする請求項１〜６のいずれかに記載のパンツ。
【請求項８】
前記ヒップアップ別布が、後中心で５〜７ｃｍ、前身頃のウエストラインで８〜１０ｃｍとなるように漸増させた形状であることを特徴とする請求項７に記載のパンツ。
【発明の詳細な説明】
【技術分野】
【０００１】
本発明はヒップアップ効果のあるパンツに関する。
【背景技術】
【０００２】
従来、伸縮性の高いパンツをはくと履き心地は楽で良いが、シルエットがあまりきれいではなかった。特に腹部や尻部を押さえないため、体型が表に出て美観を損なうことも多かった。また、パンツの下にガードルなどの補正下着を着けることにより、体型を整えることは可能であったが、それらは締め付け感が強く着用快適性に劣るものであった。これらの問題を解決するため、昨今、パンツやスカートの裏に伸縮性裏地を縫い付け、体型補整を狙ったものが多く出てきた。
【０００３】
一方、従来の技術として、後身頃の裏にパワーネット生地を縫い付けたズボン（特許文献１参照）、ガードルを内側に吊り下げたパンツやスカート（特許文献２参照）、パンツの内側に補正機能を持つストレッチニット裏地を後身頃や前身頃に様々な形状で縫い付けたパンツ（特許文献３、４、５）等が提案されている。
【特許文献１】実用新案登録第３０９８７０２号公報
【特許文献２】特許第２６７０５６７号公報
【特許文献３】実用新案登録第３０８０３９９号公報
【特許文献４】特開２００３−２６８６０６号公報
【特許文献５】特開２００５−１５９３０号公報
【発明の開示】
【発明が解決しようとする課題】
【０００４】
しかしながら、特許文献１の後身頃の裏にパワーネット生地を縫い付けたズボンは、裏地と表地とがほぼ寸法であるため、ヒップを持ち上げる効果は小さかった。
【０００５】
一方、特許文献２のガードルを内側に吊り下げたパンツやスカートは、締め付けの強い補正下着をつけているのと同じ効果は得られるものの着用中の快適性や着脱のしやすさなどに劣るものであった。また、特許文献３、４、５はＶ字形状のパワーの強いパワーネットを重ねて縫着し、ヒップアップ効果を狙うものであったが、接ぎ合わせあるいは縫着するのに手間がかかり、その割りには効果が小さいものであった。
【０００６】
そこで、本発明の目的はかかる従来技術の欠点を改良し、見た目も通常のパンツと変わらず、ヒップアップ効果があり、着用快適性に優れたパンツを提供することにある。
【課題を解決するための手段】
【０００７】
上記目的を達成するため、本発明のパンツは以下の構成からなる。
（１）身頃表地の内側に、後身頃のヒップ部から脇線を通り前身頃の一部を被う裏地を付設したパンツであって、該裏地が少なくともウエストラインと内股で身頃表地に接合されていることを特徴とするパンツ。
（２）前記身頃表地が、タテまたは/およびヨコ方向に伸縮可能な織編物であることを特徴とする（１）に記載のパンツ。
（３）前記身頃表地または／および前記裏地が、一方がポリトリメチレンテレフタレートを主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物であることを特徴とする（１）または（２）のいずれかに記載のパンツ。
（４）前記裏地が、タテまたは／およびヨコ方向に伸縮可能な織編物であることを特徴とする（１）〜（３）のいずれかに記載のパンツ。
（５）前記裏地の、タテ方向およびヨコ方向の少なくとも一方の伸長率が１．５ｋｇ荷重下で３０〜２００％、繰り返し１０回伸長後の伸長回復率が８０％〜１００％であることを特徴とする（４）に記載のパンツ。  
（６）前記裏地は、少なくとも１ヶ所以上後身頃で接ぎ合わされ、ヒップの丸みに合わせて立体縫製されていることを特徴とする（１）〜（５）のいずれかに記載のパンツ。
（７）前記裏地に、後身頃のヒップライン下から前身頃に向かい斜め上方に傾斜した帯状のヒップアップ別布を付設したことを特徴とする（１）〜（６）のいすれかに記載のパンツ。
（８）前記ヒップアップ別布が、後中心で５〜７ｃｍ、前身頃のウエストラインで８〜１０ｃｍとなるように漸増させた形状であることを特徴とする（７）に記載のパンツ。
【発明の効果】
【０００８】
本発明により、見た目も通常のパンツと変わらず、ヒップアップ効果があり、着用快適性に優れたパンツを得ることができる。本発明は、さらにヒップの脇についても引き上げ効果を有し、サイドラインの矯正効果も期待できるものである。
【発明を実施するための最良の形態】
【０００９】
以下、図面に示す一形態を参照しつつ、本発明のパンツを詳細に説明する。
【００１０】
図１は、本発明のパンツの一態様を正面表からみた図であり、図２、図３は、本発明のパンツの一態様を裏返して裏面からみた前身頃と後身頃の図、図４は裏面からみた右側面の前後身頃の図である。
【００１１】
本発明のパンツは、図２、図３および図４に示すように身頃表地の内側に、後身頃１のヒップ部から脇線４を通り前身頃２の一部を被う裏地３をウエストライン５と内股６で表地と接合することにより、臀部を臀溝から上方およびななめ前方に向かって持ち上げることができる。また、本発明のパンツは裏地を後身頃から前身頃にかけて連続した形状で設置することにより、脇の贅肉も一部引き上げ、サイドラインの締め付け効果も期待することができる。これに対し、裏地をパンツ全周に付設すると補整下着を着用していると同じように窮屈であり、着脱しにくいパンツとなるので好ましくない。また、裏地を後身頃にのみ付設すると、ヒップアップ効果はあるもののサイドラインの締め付け効果は全くなく全体のシルエットの美しさに劣るものとなる。
本発明のパンツにおいては、身頃表地にタテまたは/およびヨコ方向に伸縮可能な織編物を使用することにより、着用感、運動機能性、美観全てにおいてさらに顕著な効果を確認することができる。
伸縮可能な織編物としては、綿やウールの天然繊維やレーヨンなどの再生繊維、アクリル系繊維やポリエステル系繊維などの合成繊維などにポリウレタン繊維（弾性繊維）を混用したストレッチ織物等を使用することができる。また、弾性繊維を使用しないで、例えば一方がポリトリメチレンテレフタレート（以下、ＰＴＴと略する）を主体としたポリエステルである２種類のポリエステル系重合体を繊維長さに沿ってサイドバイサイド型に貼り合わせた複合繊維のマルチフィラメントを、タテ糸およびヨコ糸の少なくとも一方に用いたポリエステル系ストレッチ織物を使用してもよい。サイドバイサイド型の複合繊維は、固有粘度や共重合成分、共重合率等が異なる重合体を貼り合わせ、それらの弾性回復特性や収縮特性の差によって、捲縮を発現するものである。固有粘度差を有するサイドバイサイド型複合の場合、紡糸、延伸時に高固有粘度側に応力が集中するため、２成分間で内部歪みが異なる。そのため、延伸後の弾性回復率差および織物の熱処理工程での熱収縮率差により高粘度側が大きく収縮し、単繊維内で歪みが生じて３次元コイル捲縮の形態をとる。この３次元コイルの径および単位繊維長当たりのコイル数は、高収縮成分と低収縮成分との収縮差（弾性回復率差を含む）によって決まると言ってもよく、収縮差が大きいほどコイル径が小さく、単位繊維長当たりのコイル数が多くなる。ストレッチ素材として要求されるコイル捲縮は、コイル径が小さく、単位繊維長当たりのコイル数が多い（伸長特性に優れ、見栄えが良い）、コイルの耐へたり性が良い（伸縮回数の応じたコイルのへたり量が小さく、ストレッチ保持性に優れる）、さらにはコイルの伸長回復時におけるヒステリシスロスが小さい（弾発性に優れ、フィット感が良い）等である。これらの要求を全て満足しつつ、ポリエステルとしての特性、例えば適度な張り腰、ドレープ性、高染色堅牢性を有することで、トータルバランスに優れたストレッチ素材とすることができる。この特性を満足させるためには、高収縮成分にＰＴＴを主体としたポリエステルを用いることが好ましい。ＰＴＴとは、テレフタル酸を主たる酸成分とし、１，３−プロパンジオールを主たるグリコール成分として得られるポリエステルである。低収縮成分には、高収縮成分であるＰＴＴとの界面接着性が良好で、製糸性が安定している繊維形成性ポリエステルであれば特に限定されるものではないが、力学的特性、化学的特性および原料価格を考慮すると、繊維形成能のあるポリエチレンテレフタレートが好ましい。
【００１２】
このようにして得られたサイドバイサイド型複合繊維糸条をタテ糸およびヨコ糸の少なくとも一方のストレッチ付与を所望する方向に用いたストレッチ織物を本発明のパンツに使用することにより着用感、運動機能性、美観等に顕著な効果を表す。タテ方向およびヨコ方向の少なくとも一方の伸長率は、１．５ｋｇ荷重下で１０％以上４０％以下であることが好ましく、伸長回復率は６０％以上あることが着用快適性、型くずれ防止の観点からも好ましい。
【００１３】
かかる伸長率とは、織編地の伸びの程度を表すものであり、この数値が大きい程、パンツを着用した時、体の動きに追従し易く、着脱も容易である。表地はかかる伸長率が１０％未満であると伸びが少ないためパンツ着用時に窮屈で動きにくいという問題があり、反対に４０％以上あると、身体にフィットするが、身体のシルエットが表面に出やすくなり、美観に劣るという問題があった。
かかる伸長回復率とは身体の動きで伸長した生地が、素早く元の状態に戻ろうとする回復程度を表すものであり、この数値が大きい程、パンツを着用した時の型崩れが少なく、着用前後で形態変化を起こしにくい。本発明のパンツにおいて、表地の伸長回復率は６０％以上、より好ましくは８０％以上あることが好ましい。６０％より低いと臀部や膝等の身体の凸部のみ生地が回復しないで表地が伸びた状態になり、美観を損なう。
【００１４】
なお、かかる伸長率および伸長回復率はＪＩＳ  Ｌ  １０９６「一般織物生地試験方法」の定速伸長法のストリップ法に基づいて測定されたものである。
本発明のパンツの表地に使用する素材は紡績糸、フィラメント糸のどちらでも良く、好みにより選択することができる。
【００１５】
本発明のパンツに付設する裏地の素材は特に限定しないが、寸法安定性や表地とのなじみがよいこと、パンツを着装したときに表から裏地の存在がわかりにくいこと等を鑑みると、ポリアミド系繊維やポリエステル系繊維などの合成繊維にポリウレタン繊維（弾性繊維）を混用した織編物を使用することが好ましい。また、弾性繊維を使用しないで、ＰＴＴを主体としたポリエステル系ストレッチ織物を使用してもよい。織物の組織は限定しない。編物の場合も編み方は特に限定しないが、ヒップ形状の保型の点から天竺やリブ編よりトリコット編の方が適している。
【００１６】
該裏地は、タテ方向およびヨコ方向の少なくとも一方の伸長率が１．５ｋｇ荷重下で３０〜２００％、繰り返し１０回伸長後の伸長回復率が８０％〜１００％の織編物を用いることが好ましい。裏地の伸長率が３０％未満であると、伸びが少ないためパンツ着用時に裏地だけきつく締め付けられるため、着脱しにくいし、着用快適性が劣る。反対に伸長率が２００％を越えると締め付け感およびヒップアップ効果が小さくなる。従って、裏地のタテ方向およびヨコ方向の少なくとも一方の伸長率は、３０％以上あるものが好ましく、より好ましくは５０％以上、さらに好ましくは７０％以上である。
【００１７】
また、本発明のパンツの裏地の伸長回復率は８０％から１００％である素材を選択することが好ましい。８０％より低いと着用回数、洗濯回数が増えるにつれて裏地だけ伸びきって型崩れを起こすとともに締め付け効果は低下していく。
【００１８】
表地に付設した裏地は、少なくとも１ヶ所以上後身頃で接ぎ合わされ、ヒップの丸みに合わせて立体縫製することが好ましい。立体縫製とはダーツやタックあるいは切り替えなどで平面の生地を身体の線に合わせて立体的に仕上げる方法をいう。ダーツやタックをウエストラインに入れることによりヒップの丸みに合わせた裏地を付設することはできるが、ダーツやタックは縫代が複数枚重なるため、パンツの表側に段差として現れ美観を損ねるし、着用快適性に劣る。従ってこの場合はヒップの形状に合うように少なくとも２枚以上に分割した形の裏地を縫い合わせて立体化した裏地をパンツに付設することが好ましい。分割した裏地を縫い合わせる方法としては、融着縫製、伸びを止めない縫い方をすることが必要となる。例えば千鳥縫いや偏平縫い、オーバーロックや還縫いのように縫目が表地に追随する縫製方法が好ましい。また、使用する糸もポリエステルウーリー糸やナイロンウーリー糸、レジロン糸など伸びる糸を使用することがより好ましい。
【００１９】
さらに、表地の内側に付設した裏地に、後身頃のヒップライン下から前身頃に向かい斜め上方に傾斜した帯状のヒップアップ別布８を付設することにより、ヒップアップおよびサイドの締め付け効果を向上させることができる。なお、付設は縫着、接着、融着など、どのような方法であってもよいが、洗濯耐久性、肌触り、作業性の点から縫着が好ましい。
【００２０】
ヒップアップ別布に使用する素材は、前述した裏地と同じ素材群を使用することができる。ヒップアップ別布の伸長率は裏地よりも低く、伸長回復率の高い織編地であることがヒップアップ効果、美観、縫製の面から効果が高い。該ヒップアップ別布は、タテ方向およびヨコ方向の少なくとも一方の伸長率が１．５ｋｇ荷重下で１０〜１５０％、繰り返し１０回伸長後の伸長回復率が８５％〜１００％の織編物を用いることが好ましい。別布の伸長率が１０％未満であると、伸びが少ないためパンツの着脱に不具合があるし、着用快適性が劣る。さらにヒップアップ効果を向上させるためには、別布の帯長さの方向の伸長率が１０〜３０％、帯の巾方向の伸長率が８０〜１５０％であると、ヒップ形状の保型効果が著しく向上する。帯長さの方向の伸度を低くすることにより、臀部を臀溝から上方に向かって持ち上げて保持する効果を格段に向上させることができる。
【００２１】
該ヒップアップ別布８の巾は図４に示すように後中心９で５〜７ｃｍ、前身頃のウエストライン１０で８〜１０ｃｍとなるように漸増させた形状とすることによりヒップおよびサイドの締め付け、持ち上げ効果が向上する。後中心９の幅、例えば５ｃｍの一定幅で後から前身頃のウエストラインに縫着することもできるが、前述のように幅を漸増させた方が脇サイドの締め付けに効果を発揮しやすい。一方、前身頃ウエストライン１０の幅、例えば１０ｃｍの一定幅で後から前身頃に縫着することもできるが、その場合臀部の約１／３をヒップアップ別布により締め付けられることになるので、臀部の丸みが崩れやすく、前述のように幅を漸増させた方が表のシルエットに影響を及ぼすことは少ない。
また、帯状のヒップアップ別布８を後身頃のヒップライン下から前身頃に向かい斜め上方に傾斜させるにあたっては、直線状ではなく、図２〜４に示すように曲線状に傾斜させることが好ましい。特に、後身頃部分はヒップのラインに合わせた曲線、具体的には図３のように、後から見たときに丸みのあるＷ字状とすることが好ましい。この曲線を前身頃ウエストラインに向かい延長させると、自然な丸みの連続したヒップアップ別布ができあがる。Ｗ字の深さは、図４に示すように、後身頃中心線とヒップアップ別布上辺との交点Ａと、前ウエストラインとヒップアップ別布上辺との交点Ｂを仮に直線Ｃで結び、Ｃからの距離Ｄで表す。Ｃからカーブの一番深い部分との距離Ｄは３〜１２ｃｍであることが好ましい。より好ましくは５〜１０ｃｍとすることにより、臀部の曲線に合わせた形状の別布とすることができる。
【００２２】
ヒップアップの効果を確認するには、パンツを着用し、床面から腰の位置まで表示したメジャーのヨコに立ち、体側面からカメラ、好ましくはデジタルカメラで写真撮影を行う。その後、パソコン上で床面から臀部頂点の距離を測定する。この位置はパンツのデザインによっても変化する値であるので、全く同じサイズ、デザインのパンツで裏地の有無により臀部頂点の位置の違いを差寸で表すことができる。もちろん、着用者も同一人物とする。
【実施例】
【００２３】
以下、本発明を実施例および比較例を挙げてさらに具体的に説明するが、本発明はこれに限定されるものではない。なお、実施例および比較例において用いたパンツ表地および裏地の品質評価は次の方法で実施した。
【００２４】
（測定方法）
（１）伸長率
表地及び裏地の伸長率はＪＩＳ  Ｌ  １０９６「一般織物試験方法」の定速伸長法のストリップ法に準じて測定した。
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／minで１４．７Ｎ（１．５ｋｇ）まで伸ばし、その時のつかみ間隔を測り、次の式により伸長率ＬＡ（％）を求め、３枚の平均で表した。
【００２５】
伸長率ＬＡ（％）＝［（Ｌ１−Ｌ）／Ｌ］×１００
Ｌ  ：つかみ間隔（ｍｍ）
Ｌ１：１４．７Ｎまで伸ばした時のつかみ間隔（ｍｍ）
（２）伸長回復率
表地及び裏地の伸長回復率はＪＩＳ  Ｌ  １０９６「一般織物試験方法」の繰り返し定速伸長法のストリップ法に準じて測定した。
すなわち、５ｃｍ×３０ｃｍの試験片をタテ、ヨコ方向にそれぞれ３枚ずつ採取した。自動記録装置付定速伸長形引張試験機を用い、つかみ間隔を２０ｃｍとし、試験片のたるみや張力を除いてつかみに固定した。引張速度２０ｃｍ／minで別に求めた伸長率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から残留伸びを測り次式により伸長回復率ＬＢ（％）を求め、３枚の平均で表した。
伸長率ＬＢ（％）＝［（Ｌｂ１−Ｌｂ）／Ｌｂ］×１００
Ｌｂ  ：伸長率ＬＡの８０％の伸びに相当するチャート上の長さ（ｍｍ）
Ｌｂ１：１０回繰り返し伸長後の残留伸びに相当するチャートの長さ（ｍｍ）
（３）臀部頂点の位置
本文中に述べたように、着用中の写真を体側面からカメラで撮影し、パソコン上で床面から臀部頂点までの距離を測定する。３回の着用−撮影−測定の平均値を求めた。パンツのデザインにより変化する値であるので、全く同じサイズ、デザインのパンツで裏地の有無により臀部頂点の位置の違いを差寸で表す。着用者も同一人物で比較する。
なお、臀部頂点については、体側面の画像に頭部から床面に垂直に補助線を入れ、臀部で交わる点を臀部頂点とした。
【００２６】
（４）審美性、着心地、肌触りの状態評価
出来上がったパンツの審美性および着用感、運動機能性、ヒップアップ効果、サイドの締め付け効果について官能評価を実施した。その評価基準を表１に示す。
【００２７】
モニターは２０代から５０代の女性１０名で、着用した結果の平均点を各評価点数として示す。各評価点数の合計点数を総合評価とし、総合評価が大きいものほど優れていることを示す。
【００２８】
【表１】
2006299464.tif 000003
【００２９】
（実施例１）
タテ糸に綿６０番手双糸をヨコ糸に１６５デシテックスのＰＴＴを用い、２／１のツイル（綾織）に製織、染色仕上げした。こうして得られた織物の伸度はタテ８％ヨコ２５％、伸長回復率はタテ９２％ヨコ８５％であった。この表地の裏に次の工程で縫製した裏地を縫着して婦人用パンツを縫製した。パンツの裏地には、伸度タテ１４７％ヨコ４１％、伸長回復率はタテ９６％ヨコ８５％のトリコット編地を後身頃から前身頃ウエストラインに向かい斜め上方に傾斜した形状に裁断し、内股部とウエストラインに縫着した。さらにヒップライン下から前身頃ウエストラインに向かって帯状のヒップアップ別布を伸びを止めないように下糸にナイロンウーリー糸を用いて千鳥縫いミシンで裏地に縫い付けた。ヒップアップ別布の伸度はタテ１５６％ヨコ５３％、伸長回復率はタテ９６％ヨコ９４％のパワーネットを用い、後中心線で５ｃｍ幅（図４記載の９の寸法）、前身頃のウエストラインで８ｃｍ幅（図４記載の１０の寸法）となるように漸増させた曲線帯状とする。
【００３０】
こうして得られた婦人用パンツの生地物性評価結果を表２に、縫製品を着用した時の審美性、着用感、運動機能性、ヒップアップ効果、サイド締め付け効果について評価をした結果を表３に示した。
【００３１】
（実施例２）
タテ糸に綿５０番手双糸をヨコ糸に４４デシテックスの弾性糸に綿５０番手をカバーリングした糸を用い、平織物に製織、染色仕上げした。こうして得られた織物の伸度はタテ１２％ヨコ２８％、伸長回復率はタテ８５％ヨコ６５％であった。この表地の裏に次の工程で縫製した裏地を縫着して婦人、紳士兼用のパンツを縫製した。パンツの裏地には、タテ糸に５５デシテックスのポリエステル糸、ヨコ糸に５５デシテックスのＰＴＴを用い、平織物に製織、染色仕上げした。こうして得られた織物の伸度はタテ９％ヨコ３２％、伸長回復率はタテ９５％ヨコ８６％であった。この裏地を後身頃から前身頃ウエストラインに向かい斜め上方に傾斜した形状に裁断し、内股部とウエストラインに縫着した。実施例１と同様のパワーネットを使いヒップライン下から前身頃に向かい斜め上方に傾斜した形状のヒップアップ別布を縫い付けた。該ヒップアップ別布は後中心線で７ｃｍ幅（図４記載の９の寸法）、左右前身頃のウエストラインで１０ｃｍ幅（図４記載の１０の寸法）となるように漸増させた曲線帯状とした。ヒップアップ別布の縫着は伸びを止めないように偏平２本針ミシンで裏飾り糸にナイロンウーリー糸を用いて裏地に縫い付けた。
【００３２】
こうして得られた婦人、紳士兼用パンツの生地物性評価結果を表２に、縫製品を着用した時の審美性、着用感、運動機能性、ヒップアップ効果、サイド締め付け効果について評価をした結果を表３に示した。
裏地は、パンツ後身頃の股上部と前身頃の一部を被う形状とし、内股部とウエストベルトに縫着した。
【００３３】
（実施例３）
タテ糸、ヨコ糸にポリエステルとレーヨンの混紡糸で３／１のサテン（朱子織）に製織、染色仕上げした織物を表地に使用して婦人用のパンツを縫製した。こうして得られた織物の伸度はタテ２１％ヨコ２０％、伸長回復率はタテ９１％ヨコ８９％であった。この表地の裏に次の工程で縫製した裏地を縫着して婦人用パンツを縫製した。
パンツの裏地には、伸度タテ１８０％ヨコ１０４％、伸長回復率はタテ９２％ヨコ９４％のトリコット編地を後身頃から前身頃の一部を覆う形状に設計した後、４分割して、各縫い合わせ線を曲線にして立体形状となるようにした。４分割した後は、各縫い合わせ線を千鳥縫いで縫い合わせて一体化する。この時、着用中の破損を防止するため縫い合わせ線の裏側にヒップアップ別布用のパワーネットを１ｃｍ幅に裁断して補強テープとして、同時に縫い付けた。さらにヒップライン下から前身頃ウエストラインに向かって帯状のヒップアップ別布を伸びを止めないように下糸にナイロンウーリー糸を用いて千鳥縫いミシンで裏地に縫い付けた。ヒップアップ別布の伸度はタテ１０９％ヨコ８５％、伸長回復率はタテ９７％ヨコ８９％のパワーネットを用い、後中心線で５ｃｍ幅（図４記載の９の寸法）、前身頃のウエストラインで８ｃｍ幅（図４記載の１０の寸法）となるように漸増させた曲線帯状とする。
【００３４】
こうして得られた婦人用パンツの生地物性評価結果を表２に、縫製品を着用した時の審美性、着用感、運動機能性、ヒップアップ効果、サイド締め付け効果について評価をした結果を表３に示した。
【００３５】
（実施例４）
タテ糸に綿５０番手双糸をヨコ糸に４４デシテックスの弾性糸に綿５０番手をカバーリングした糸を１本交互に使用して２２Ｇの両面丸編機にて編成した。この両面丸編地を通常の丸編地の染色方法に準じ、染色仕上げした。こうして得られた編物の伸度はタテ６０％ヨコ１０５％、伸長回復率はタテ６５％ヨコ７５％であった。この表地の裏に次の工程で縫製した裏地を縫着して婦人用のパンツを縫製した。パンツの裏地には、伸度タテ１８０％ヨコ１０４％、伸長回復率はタテ９２％ヨコ９４％のトリコット編地を後身頃から前身頃ウエストラインに向かい斜め上方に傾斜した形状に裁断し、内股部とウエストラインに縫着した。さらにヒップライン下から前身頃ウエストラインに向かって帯状のヒップアップ別布を伸びを止めないように下糸にナイロンウーリー糸を用いて千鳥縫いミシンで裏地に縫い付けた。ヒップアップ別布の伸度はタテ１０９％ヨコ８５％、伸長回復率はタテ９７％ヨコ８９％のパワーネットを用い、後中心線で７ｃｍ幅（図４記載の９の寸法）、前身頃のウエストラインで９ｃｍ幅（図４記載の１０の寸法）となるように漸増させた曲線帯状とする。裏地は、パンツ後身頃の股上部と前身頃の一部を被う形状とし、内股部とウエストベルトに縫着した。
【００３６】
こうして得られた婦人用パンツの生地物性評価結果を表２に、縫製品を着用した時の審美性、着用感、運動機能性、ヒップアップ効果、サイド締め付け効果について評価をした結果を表３に示した。
【００３７】
（比較例１）
実施例１で用いた織物を表地に使用して婦人用パンツを縫製した。裏地は付設しなかった。
【００３８】
こうして得られた婦人用パンツの生地物性評価結果を表２に、縫製品を着用した時の審美性、着用感、運動機能性、ヒップアップ効果、サイド締め付け効果について評価をした結果を表３に示した。
【００３９】
（比較例２）
綿３０番手の紡績糸をタテ糸、ヨコ糸に用い、３／１のサテン（朱子織）に製織、染色仕上げした織物を表地に使用して婦人、紳士兼用パンツを縫製した。こうして得られた織物の伸度はタテ５％ヨコ６％、伸長回復率はタテ９８％ヨコ９８％であった。パンツの裏地には、伸度タテ９９％ヨコ７２％、伸長回復率はタテ６７％ヨコ７３％のトリコット編地を後身頃の臀部のみ覆う形状に裁断し、内股部と脇線で表地と縫着した。さらにヒップラインの下に２０ｃｍの帯状のヒップアップ別布を伸びを止めないように下糸にナイロンウーリー糸を用いて千鳥縫いミシンで裏地に縫い付けた。ヒップアップ別布の伸度はタテ１５６％ヨコ５３％、伸長回復率はタテ９６％ヨコ９４％のパワーネットを用いた
こうして得られた婦人、紳士兼用パンツの生地物性評価結果を表２に、縫製品を着用した時の審美性、着用感、運動機能性、ヒップアップ効果、サイド締め付け効果について評価をした結果を表３に示した。
【００４０】
（比較例３）
５６デシテックスのポリエステル糸１００％の長繊維糸を使い２０Ｇ丸編機で編成し、通常染色加工仕上げをして編地を得た。こうして得られた編物の伸度はタテ４０％ヨコ８０％、伸長回復率はタテ８８％ヨコ５５％であった。パンツのウエストはゴムで始末をした開きのないタイプのいわゆるジャージパンツとした。パンツの裏地には伸度タテ１０９％ヨコ８５％、伸長回復率はタテ９７％ヨコ８７％のパワーネットで、股部から上部を後身頃、前身頃ともに被うように２本の筒状に縫製し、ウエストゴム部で表地と縫着した。
【００４１】
こうして得られた婦人用パンツの生地物性評価結果を表２に、縫製品を着用した時の審美性、着用感、運動機能性、ヒップアップ効果、サイド締め付け効果について評価をした結果を表３に示した。
【００４２】
【表２】
2006299464.tif 000004
【００４３】
【表３】
2006299464.tif 000005
【産業上の利用可能性】
【００４４】
本発明は、見た目が通常のパンツと変わらず、ヒップアップ効果があり、着用快適性に優れたパンツを提供することができる。
【図面の簡単な説明】
【００４５】
【図１】本発明のパンツの一態様を表からみた正面図である。
【図２】本発明のパンツの一態様を裏からみた前身頃の図である。
【図３】本発明のパンツの一態様を裏からみた後身頃の図である。
【図４】本発明のパンツの一態様を裏からみた右側面の前後身頃の図である。
【符号の説明】
【００４６】
１  ：後身頃
２  ：前身頃
３  ：裏地
４  ：脇線
５  ：ウエストライン
６  ：内股
７  ：後中心線
８  ：ヒップアップ別布
９  ：ヒップアップ別布後中心巾
１０  ：ヒップアップ別布前ウエストライン巾
Ａ  ：後身頃中心線とヒップアップ別布上辺との交点
Ｂ  ：前ウエストラインとヒップアップ別布上辺との交点
Ｃ  ：（深さ測定用）仮の直線
Ｄ  ：Ｃからカーブの一番深い部分の距離
【図１】
2006299464.tif 000006
【図２】
2006299464.tif 000007
【図３】
2006299464.tif 000008
【図４】
2006299464.tif 000009